(57)【要約】【課題】消臭作用、抗菌作用、静電気防止作用等を備えたものであって、安くて、手軽に作ることが出来る生地及び衣類の提供。【解決手段】生地１自体は普通のものであり、この生地１に刺繍２，２…がデザインとして施される。そして該刺繍２，２…を構成する刺繍糸５，５…又は下糸７，７…に消臭作用、抗菌作用、及び静電気防止作用等を付与している。【選択図】　　　　図２
2004027447.tif 000002
【特許請求の範囲】
【請求項１】
消臭作用、抗菌作用、静電気防止作用等を備えた生地において、該生地には刺繍を施したもので、この刺繍を形成する為の刺繍糸又は下糸に上記消臭作用、抗菌作用、静電気防止作用等を付与したことを特徴とする消臭等の効果を備えた刺繍生地。
【請求項２】
刺繍糸に所定の作用を付与し、各作用を備えた複数の刺繍糸を用いて刺繍した請求項１記載の消臭等の効果を備えた刺繍生地。
【請求項３】
消臭作用、抗菌作用、静電気防止作用等を備えた衣類において、該衣類には刺繍を施したもので、この刺繍を形成する為の刺繍糸又は下糸に上記消臭作用、抗菌作用、静電気防止作用等を付与したことを特徴とする消臭等の効果を備えた刺繍衣類。
【請求項４】
刺繍糸に所定の作用を付与し、各作用を備えた複数の刺繍糸を用いて刺繍した請求項３記載の消臭等の効果を備えた刺繍衣類。
【発明の詳細な説明】
【０００１】
【発明の属する技術分野】
本発明は消臭作用及び抗菌作用、又静電気を防止することが出来るように、刺繍をデザインとして施した生地及び衣類に関するものである。
【０００２】
【従来の技術】
生活空間を快適にする為には色々な工夫が成されてきているが、その代表的な方法として空間の臭いを消す為の消臭がある。生活において気になる臭いは「トイレの臭い」、「台所のゴミの臭い」、「タバコの臭い」等がある。そして、これら臭いのある所に居ることで、着ている衣類に移ってしまい、該臭いが消えなくて、他の所へ行って他人に不快感を与える事が多い。
【０００３】
そして快適な生活空間を作り出す他の条件としては、雑菌が無いように、又雑菌が付着しないように、さらには雑菌が増殖しないように抗菌処理が施されていることである。近年の各種日用品の中には抗菌処理が成されている物品は多い。しかし、外出することで雑菌が身体に付着することは常であり、最も付着し易い箇所は自らが着用している衣類である。
【０００４】
そこで、従来においても衣類を抗菌処理したり防臭加工することは知られている。例えば、益々高齢化する社会において、介護する人、介護される人が利用する介護用衣料品には臭いが染み付き、又雑菌が付着する機会が多く、これら介護用衣料品に抗菌処理を施したり、防臭加工を行なうことが必要となる。
【０００５】
しかし、抗菌処理された介護用衣料品、及び消臭加工された介護用衣料品、さらには抗菌及び消臭加工された一般の衣料品はコストが高くなり、ありとあらゆる衣類に適用することは出来ない。必要に応じて手軽にしかも安く消臭及び抗菌等の加工が出来ることが好ましい。
【０００６】
【発明が解決しようとする課題】
このように、従来の消臭及び抗菌生地には上記のごとき問題がある。本発明が解決しようとする課題はこの問題点であって、生地自体に消臭及び抗菌効果を有すものではなく、消臭及び抗菌等の処理加工をした糸を用いて普通の生地や衣類に刺繍を施すことで、消臭及び抗菌等の効果がある生地及び衣類を提供する。
【０００７】
【課題を解決する為の手段】
本発明は普通の生地や衣類に刺繍をデザインとして施すものであり、この刺繍の糸として消臭及び抗菌等の加工したものを使用する。刺繍はあくまでも生地や衣類をデザインする為に施されるものであるが、消臭及び抗菌等の加工されている糸である為に、生地及び衣類として同じ効果が得られる。ここで、該生地は織物であったり編物であったりするが、該生地を裁断・縫製して、衣類、布団カバー、枕カバー、カーテン、テーブルクロス等の日用品として製作されたものに刺繍が施される。
【０００８】
本発明は消臭及び抗菌作用の他に、静電気防止加工がなされた糸を用いて刺繍することもある。さらには、芳香作用を有す糸を用いて刺繍することもあり、着用していることで良い香りを漂わせることが出来る。以下、本発明に係る実施例を図面に基づいて詳細に説明する。
【０００９】
【実施例】
図１は生地１に円形刺繍２，２…、３をデザインしたものであり、４個の大きな円形刺繍２，２…の間に小さな円形刺繍３を設けている。図２には刺繍生地１の断面を示しているように、刺繍２，２…、３は生地１の表面４に刺繍糸５を止着することで色々なデザインが形成されるが、ここでは説明の簡略化の為に円形刺繍２，２…、３を表わしている。
【００１０】
刺繍糸５はミシン針にて生地１を貫通し、裏面６にて下糸７と絡み合って刺繍される。ここで、上記刺繍糸５は消臭及び抗菌処理されていて、その為に、該生地１には消臭及び抗菌効果が備わることになる。従って、該生地１を使用してテーブルクロスとする場合、該テーブルに置かれる物から発生する臭いを打ち消し、又テーブルに増殖する雑菌から守ることが出来る。
【００１１】
そして、刺繍２，２…、３は表面４に止着される刺繍糸５が外れないように裏面６には下糸７が絡み合うことに成るが、この下糸７として静電気防止処理を施したものを使用することが出来る。従って、該刺繍２，２…、３を形成した生地は消臭及び抗菌、並びに静電気防止効果を備えたものとなる。
【００１２】
ところで、刺繍糸５に消臭及び抗菌作用を与える為の加工方法、及び下糸７に静電気防止機能を与える処理方法は従来においても色々行なわれてきている方法であり、本発明ではこの手段は限定しないことにする。編物生地及び織物生地を構成する糸に上記消臭作用、抗菌作用、又は静電気防止作用を与えることは可能であるが、本発明の生地は普通のものを用いて、必要に応じて刺繍にて消臭及び抗菌作用、並びに静電気防止等の作用を備えた生地並びに衣類を提供することにある。
【００１３】
又、該実施例で示した単純な円形刺繍２，２…、３は表面４に位置する刺繍糸５と裏面６に位置して互いに絡み合う下糸７の２種類であるが、形状が複雑で込入った刺繍の場合にはさらに多くの種類の刺繍糸が使用される。そして各刺繍糸に消臭作用、抗菌作用、静電気防止作用、及び芳香作用等をそれぞれ付与することが出来る。
【００１４】
以上述べたように、本発明の刺繍生地及び衣類は刺繍糸に消臭及び抗菌等の作用を備えたものであり、次のような効果を得ることが出来る。
【００１５】
【発明の効果】
本発明に係る刺繍生地及び衣類は消臭作用、抗菌作用、及び静電気防止作用などを備えているが、該生地及び衣類本体がこれらの作用を有するのでなく、消臭作用、抗菌作用、及び静電気防止等の作用が付与された刺繍糸が使用されている。従って、普通の生地及び衣類に該刺繍を施すことで上記作用を備えた生地及び衣類とすることが出来る。
【００１６】
このように、生地及び衣類に刺繍を施すことで消臭作用、抗菌作用、及び静電気防止作用を手軽に備える事が出来、生地や衣類自体にこれら各作用を備える場合に比較して製作コストは安くなる。しかも生地及び衣類には刺繍に基くデザインが形成される。
【図面の簡単な説明】
【図１】円形刺繍を形成した生地の具体例。
【図２】刺繍生地の断面拡大図。
【符号の説明】
１　生地
２　円形刺繍
３　円形刺繍
４　表面
５　刺繍糸
６　裏面
７　下糸
【図１】
2004027447.tif 000003
【図２】
2004027447.tif 000004